Podtech/llm-jp-corpus-v4-ja_patent huggingface dataset:
(57)【要約】      （修正有）【課題】離着機の時使用していない軸発をスラスター専用の配線を設けることにより、スラスター用原動機を不用とするスラスターシステムを提供する。【解決手段】原動機スラスターにおいては負荷０からＭＡＸに一気に出来るが、軸発では、一気に変動すれば故障の原因となると思うので一次遅れ制御で操作する様にし、スラスター専用として使用する。又、軸発の性能を満たす為の一次遅れは操船に問題は無いと思う。スラスタ用原動機その他付属品が不要になり安価になる。【選択図】なし【特許請求の範囲】
【請求項１】
離着機時不要となった軸発電源をスラスター専用に切替、スラスターを動かせると云う考え方
【発明の詳細な説明】
【技術分野】
【０００１】本発明は船舶のスラスターに関する
【発明の概要】
離．着機時軸発電機は発電機関と切替て使用していない
その軸発電機の電源をスラスタ用モーター専用の配線と切替スラスターに使用すると云う考え方である
【発明が解決しようとする課題】私が乗船した、１９９ｔｏｎ、４９９ｔｏｎ型貨物船ではスラスターはほとんど原動機によるものだった。
離着機の時使用していない軸発をスラスター専用の配線を設け使えばスラスター用原動機は不用となる
【課題を解決する為の手段】
原動機スラスターにおいては負荷０からＭＡＸに一気に出来るが、軸発では、一気に変動すれば故障の原因となると思うので一次遅れ制御で操作する様にすれば使用出来ると思う。
又、軸発の性能を満たす為の一次遅れは操船に問題は無いと思う
【発明の効果】
▲１▼  スラスタ用原動機その他付属品が不要になり安価になる
▲２▼  エンジニアの負担が少くなる
【発明を実施するための形態】
軸発メーカーと電動スラスターメーカーが協同開発すればいい物が出来ると思う
(57)【要約】      （修正有）【課題】針葉樹合板は節等欠点が化粧された表面に欠点として出るため、化粧針葉樹合板を作成することは困難であった。そこで、針葉樹合板の表面又は両面に湿式硬質繊維板（ハードボード）を接着し、化粧された表面に欠点が現れない化粧台板針葉樹複合合板を提供する。【解決手段】針葉樹合板２の表面又は両面に、湿式硬質繊維板（ハードボード）の裏面にできる湿式裏面エンボス層４を接着し針葉樹合板の欠点である節３等を比重の低い裏面エンボス層にて埋める。又、凹み等の気体変化を湿式硬質繊維板（ハードボード）の裏面の比重の低い層にて内部吸収する。【選択図】図１
2014073587.tif 000002
【特許請求の範囲】
【請求項１】
針葉樹板の表面、又は両面に低比重の裏面エンボス層を有した湿式硬質繊維板（ハードボード）接着したことを特徴とする、化粧台板針葉樹複合合板。
【請求項２】
湿式硬質繊維板（ハードボード）の裏面エンボス層は各板厚の約４０％の厚さであることを特徴とする請求項１記載の化粧台板針葉樹複合合板。 
【発明の詳細な説明】
【技術分野】
【０００１】
本発明は針葉樹合板の片面及び両面に湿式硬質繊維板（ハードボード）を熱圧プレス（合板製造時に接着）又はコールドプレスにて針葉樹合板に２次接着した化粧台板針葉樹複合合板に関する。
【背景技術】
【０００２】
針葉樹合板は節等が多く表面に化粧単板、合成樹脂シート、合成樹脂系フイルム、コート紙、アフターコート紙を接着すると、節等が化粧された表面に欠点として出るため、針葉樹合板では化粧台板合板は出来ない。
【０００３】
又、針葉樹合板を基材とし、その表面に木質繊維板を載置して接着して作られた複合合板３種が知られている。（特許文献１参照）
【先行技術文献】
【特許文献】
【０００４】
【特許文献１】特許平５−５７８４１号公報
【発明の概要】
【発明が解決しようとする課題】
【０００５】
針葉樹合板は節等が多く表面に化粧単板、合成樹脂シート、合成樹脂系フイルム、コート紙、アフターコート紙を接着すると、節等欠点が化粧された表面に欠点として出るため、化粧針葉樹合板を作成することは困難であった。針葉樹合板の片面又は両面に湿式硬質繊維板（ハードボード）を接着した化粧台板針葉樹複合合板において、化粧された表面に現れる欠点をカバーする必要があった。
【課題を解決するための手段】
【０００６】
本願発明は請求項１に記載のとおり、針葉樹合板の表面又は、表裏面に湿式硬質繊維板（ハードボード）の裏面に出来る湿式裏面エンボス層を針葉樹合板の表面に接着したことを特徴とする、化粧台板針葉樹複合合板である。又請求項２として、エンボス層は湿式硬質繊維板（ハードボード）の各厚みに対して約４０％（通常は約２５％）の厚さであることを特長とする請求項１記載の化粧台板針葉樹複合合板である。
【０００７】
針葉樹合板表面及び表裏面に接着する湿式硬質繊維板（ハードボード）は化粧単板合成樹脂シート、合成樹脂系フイルム、コート紙、又はアフターコート紙を接着するため湿式硬質繊維板（ハードボード）の表面側平滑面をサンダーする。サンダーは平滑面に残存している湿式硬質繊維板（ハードボード）のプレス製板時の離型のための離型材をとり、平滑性を作るのみにして平滑面の表層に存在する岩盤層を残す。
【０００８】
湿式硬質繊維板（ハードボード）生産は、パルプ液に添加樹脂の内添を最大限にする。
【０００９】
その後プレス前のマットの表面に熱硬化樹脂を外添し、高圧高温プレスにて製板する。
【００１０】
岩盤層の増加と曲げ強度ＵＰ及び層間強度を強くする。
【００１１】
裏面の網目跡であるエンボス層の長さを針葉樹合板の表面に接着する湿式硬質繊維板（ハードボード）の厚みに比例して上記のようにエンボスの厚みを変えることにより裏面エンボス層の比重を低くし針葉樹合板の欠点を埋める。
【００１２】
針葉樹合板の欠点である凹み等を上記湿式硬質繊維板（ハードボード）の比重の低い裏面エンボス層にて埋める。又、凹み等の気体変化を湿式硬質繊維板（ハードボード）の裏面層の比重の低い層にて内部吸収する。
【発明の効果】
【００１３】
本発明により杉、檜等を原料とした針葉樹合板を化粧表面に欠点の出ない化粧台板針葉樹複合合板とすることができる。
【図面の簡単な説明】
【００１４】
【図１】針葉樹化粧台板複合合板の断面図を示す。
【発明を実施するための形態】
【００１５】
針葉樹合板は節等欠点が多くＭＤＦ、高比重ＭＤＦを針葉樹合板の表面に接着しても節等欠点を１００％カバー出来ない。上記湿式硬質繊維板（ハードボード）は安定した強度のある岩盤層があるため針葉樹合板の欠点が化粧表面に出ない、且つ針葉樹合板の欠点である凹みを湿式硬質繊維板（ハードボード）の比重の低い裏面エンボス層にて埋める。又針葉樹合板の欠点である凹みにある空間の気体変化を湿式硬繊板（ハ―ドボード）裏面エンボス層にて内部吸収する。以下、図面にて実施例を説明する。
【００１６】
図１は針葉樹の単板を奇数枚接着した針葉樹合板と針葉樹合板２の表面に上記湿式硬質繊維板（ハードボード）を接着した化粧台板複合合板を示す。針葉樹合板を構成する杉、檜等の単板は１．２５ｔ、１．５ｔ、２．７ｔ、３．０ｔ、３．２ｔ等あり、それぞれを熱圧接着して２．５ｔ以上の針葉樹合板を作成するが、針葉樹合板の表面に多数の節等欠点が観察された。
【００１７】
湿式硬質繊維板（ハードボード）は厚み１．５ｔから２．５ｔを使用し、寸法は針葉樹合板と同じ寸法とする。
【００１８】
この湿式硬質繊維板（ハードボード）は裏面に板厚の約４０％のエンボス層を形成する。エンボス層の厚み形成方法は製板時の脱水用金網の厚みを変えることにより作成する。
【００１９】
現在針葉樹合板の用途は構造用合板及び２重床下地用が主体であり、化粧台板合板はラワン原木を主流とする南洋材合板が主流である。針葉樹化粧台板複合合板を作成することは国産材の用途が増加して国内森林の活性化になる。
【００２０】
国内合板製造業界の活性化が出来き、国内森林事業の活性化になる。
【符号の説明】
【００２１】
１、湿式硬質繊維板（ハードボード）
２、針葉樹合板
３、節等欠点
４、湿式硬質繊維板（ハードボード）のエンボス層
５、化粧台板複合合板 
【図１】
2014073587.tif 000003
(57)【要約】【課題】主に寝たきりの状態や車椅子利用などにより、自力では階段を昇降できない方の車椅子やベットを電気を使用しないで昇降できるようにすること。【解決手段】密着形渦巻きバネの一端を建屋側に接続し、もう一端を車椅子やベットに接続して、階段は板でカバーし、１〜２名の介助者付きで階段を昇降できるようにする。【選択図】図１
2014171854.tif 000002
【特許請求の範囲】
【請求項１】
本発明は主に寝たきりの状態や車椅子利用などにより、自力では階段を昇降できない方の車椅子やベットを昇降する手段において、密着形渦巻きバネの一端を建屋側に接続し、もう一端を車椅子やベットに接続して、階段は板でカバーし、１〜２名の介助者付きで階段を昇降できるようにしたことを特徴とする。
【発明の詳細な説明】
【技術分野】
【０００１】本発明は、地震、津波など災害の緊急避難装置に関するものである。
【背景技術】
【０００２】社会福祉施設等において、寝たきり状態や車椅子利用等により自力ではこれらの災害から避難できない方が、居室のある階から屋上へ或いは階下へ安全に避難できる設備が望まれている。【０００３】しかし現状はエレベータや、ウインチ等電動機を利用した設備であるため、災害時の商用電力停止、自家発電設備の無い所では対応できない。【０００４】電気を使用しない設備として考えられるのは手動ウインチであるが、一定の距離を動かすのに時間が掛かりすぎる事、車椅子を動かす介助者の他にウインチを動かす専任の人も必要となり、緊急時には対応できない。
【発明の開示】
【発明が解決しようとする課題】
【０００５】解決しようとする課題は、電気を使用しないで且つ、避難スピードは電気を利用した設備と同等で、対応できる人は介助者１名で車椅子を昇降する設備を提供することである。
【課題を解決するための手段】
【０００６】本発明は電気の代わりに密着型渦巻きバネの力を利用して、階段のスロープを昇降することを最も大きな特徴とする。
【発明の効果】
【０００７】密着型渦巻きバネはバネ定数がほとんどゼロのため車椅子を階段のスロープに沿って引き上げるときバネは引き込まれるが、引っ張り力はほとんど減少しない。反対にスロープに沿って引き下ろすときバネは引き出されるが、引き戻す力は増加しない。したがって、いずれの場合でもバネ力をロスせずに利用できる利点がある。
【発明を実施するための最良の形態】
【０００８】バネの一端を建屋側に取り付け、もう一端は車椅子に直接フックで引っ掛け、階段はスロープの板でカバーする。こうすることでスロープ上を介助者が１名で車椅子の昇降が可能となる。装置は既設の建屋でも簡単に取り付けることができる。
【実施例】
【０００９】図１は本発明の１実施例の側面図と平面図であって、図中の２は密着型渦巻きバネ、３はバネケーシング、１１はバネの一端に取り付けたフックである。図２は密着型渦巻きバネの説明図とバネ特性図である。【００１０】装置の組み立て方法を説明する。図１において、バネケーシング３に設けた穴に丸棒５を通し、建屋側に固定する。常時は階段の側壁に立て掛けてあるスロープ４を倒して階段をカバーする。階段下のウインチ８のワイヤ先端に取り付けたフックをバネのフック１１に引っ掛けて、バネを引き出し、階段下のバネ係留バー６にフック１１を掛ける。ウインチワイヤも係留バー６に掛ける。階段下の壁に立て掛けてあるステップ７を階段下にセットする。車椅子をステップ７に載せブレーキを掛けて固定する。バネフック１１を係留バーから外し、車椅子のフットレスト部のフレームに引っ掛ける。【００１１】設備を使用しない時は、歩行の邪魔にならないように、バネとスロープは壁際に寄せておく。【００１２】次に車椅子の昇降を説明する。図のように車椅子に搭乗者が乗った状態でスロープにかかると、バネが上方に引っ張る力と車椅子が下がる力がバランスするようになるので、介助者が僅かな力を掛けることで昇降することができる。【００１３】図１において、車椅子と搭乗者の重量Ｗｋｇ＝（搭乗者の体重６０ｋｇ）＋（車椅子自重１５ｋｇ）＝７５ｋｇ    階段の傾斜角度θ１＝３０°
斜面に沿った力  Ｆ（ｋｇｆ）＝Ｗｓｉｎθ１＝７５×ｓｉｎ３０°＝３７．５ｋｇ
バネに掛かる張力  Ｔ（ｋｇｆ）＝Ｆ／ｃｏｓθ２＝３７．５／０．９３≒４０ｋｇ【００１４】次にバネの設計について述べる。図２において、半径ｒ１なる巻き心に密着巻きされた密着バネにおいて、外巻きの半分に適当な枠によって力Ｐを加え、ほぼ直線状にＳだけ伸ばすとする。
力Ｐは  Ｐ＝Ｅｂｈ３／２４（１−１／ｍ２）ρ２      ρ（ｍｍ）；巻きほごされる点の曲率半径、  ｂ（ｍｍ）；バネ板の幅、  ｈ（ｍｍ）；バネ板の厚さ、  ｍ；ポアソン数、  Ｅ（ｋｇｆ／ｍｍ２）；縦弾性係数
バネ定数  ｋは  バネの外径をＤとすると、普通  （Ｄ／２）２＞＞（ｈ／π）Ｓであり、このときは、
ｋ≒２ｂＥｈ４／３π（１−１／ｍ２）Ｄ４
・引用文献  機械設計便覧（新版）    Ｓ４９．４．３０著者  木内  ６９０ページ  〔３〕【００１５】ｂ＝３６ｍｍ，ｈ＝１．４ｍｍ，Ｄ＝１４０ｍｍ，Ｅ＝２．１×（１０）４ｋｆ／ｍｍ２  におけるバネの特性を計算する。【００１６】最小荷重Ｐｍｉｎ＝Ｅｂｈ３／６（１−１／ｍ２）Ｄ２
＝２．１×（１０）４×３６×（１．４）３／６（１−０．０９）（１４０）２＝１９ｋｇｆ
バネ定数ｋ＝２Ｅｂｈ４／３π（１−１／ｍ２）Ｄ４
＝２×２．１×（１０）４×３６×（１．４）４／３π（１−０．０９）（１４０）４
＝１．７６×１０−３ｋｇｆ／ｍｍ【００１７】本設計の密着形渦巻きバネ特性を図２に示す。
階段のスロープ長を４ｍとすると、階段下で車椅子の左右フットレスト近傍にバネを各々１本ずつ連結すると、バネ力は
Ｔ（ｋｇｆ）＝２×｛Ｐｍｉｎ＋（ｋ×４，０００｝＝２（１９＋１．７６×１０−３×４，０００）＝５２ｋｇｆ
また階段を上りきったところでは    Ｔ（ｋｇｆ）＝１９ｋｇｆ×２＝３８ｋｇｆ【００１８】したがって、前記［００１２］でバネに掛かる張力は４０ｋｇｆなので、
階段下では（５２−４０）ｋｇｆ＝１２ｋｇｆでバネ力が大きいので、車椅子にブレーキを掛け、階段上においては（１９×２−４０）ｋｇｆ＝−２ｋｇｆで車椅子の重量が大きいので、介護者が押し上げることが必要となる。
【避難設備として利用可能性】
【００１９】これは介護者が一人で十分に操作できる範囲である。
【図面の簡単な説明】
【００２０】
【図１】密着形渦巻きバネを用いた車椅子の階段昇降装置の説明図である。（実施例）
【図２】密着形渦巻きバネの説明図とバネ特性図である。
【符号の説明】１    車椅子
２    バネ
３    バネケーシング
４    スロープ
５    丸棒
６    係留バー
７    ステップ
８    ウインチ
９    ワイヤ
１０  ガイドローラ
１１  フック
【図１】
2014171854.tif 000003
【図２】
2014171854.tif 000004
(57)【要約】【課題】  コタツに座ったまま他の暖房器具を併用せず、コタツのみで両手を出し、全身を温める手段を提供する。【解決手段】コタツ布団に首より上の部分を出せるように伸縮性のある穴をあけ、両手を出せるように袖をつけて全身をコタツ布団で覆いコタツに座ったまま全身を暖めることを出来るようにする。【選択図】図２
2014171840.tif 000002
【特許請求の範囲】
【請求項１】
コタツ布団に伸縮性のある穴をあけ全身をコタツ布団で覆ったまま、首より上部をコタツ布団より、出せるようにする。
【請求項２】
コタツ布団に袖をつけ全身をコタツ布団で覆ったまま、両手をこたつ布団より出して自由に使えるようにする。
【請求項３】
コタツ布団で全身を覆うことで、コタツに座ったままの状態で全身を暖める効果がある。
【発明の詳細な説明】
【技術分野】
【０００１】本発明は、コタツにおいて、全身を暖めるために、コタツ布団に首より上の部分を出せるように伸縮性のある穴をあけ、両手を出せるように袖をつけて全身をコタツ布団で覆いコタツに座ったまま全身を暖められるようにしたものである。
【背景技術】
【０００２】従来は、コタツに座ったまま全身を覆い暖められるコタツ布団はなかった。
【発明の概要】
【発明が解決しようとする課題】
【０００３】  従来は、コタツに座ったまま全身を暖めるためには、ストーブや、エアコンを併用するしかなかったが、本発明はこの課題を解消する為のものである。
【課題を解決するための手段】
【０００４】コタツ布団に首より上の部分を出せるように伸縮性のある穴をあけ、両手を出せるように袖をつけて全身をコタツ布団で覆いコタツに座ったまま全身を暖められるようにしたものである。
【発明の効果】
【０００５】コタツに座ったまま全身を暖めるためには、他の暖房器具を併用するしかなかったが、コタツ布団に首より上の部分を出せるように伸縮性のある穴をあけ、両手を出せるように袖をつけて全身をコタツ布団で覆いコタツに座ったまま全身を暖められるようにしたものである。
【図面の簡単な説明】
【０００６】
【図１】本発明の上から見た面図である
【図２】伸縮性のある穴及び、両手を出せる袖部分である。
【発明を実施するための形態】
【０００７】（イ）コタツ布団に首より上の部分を出せるように伸縮性のある穴をあけ、両手を出せるように袖をつけて全身をコタツ布団で覆えるようにする以外は、通常のコタツ布団としてしようする。
（ロ）首より上の部分だし口
（ハ）両手だし口
【符号の説明】    １  コタツ布団本体
２  伸縮性のある穴
３  両手を出せる袖
【図１】
2014171840.tif 000003
【図２】
2014171840.tif 000004
【手続補正書】
【提出日】平成25年7月5日(2013.7.5)
【手続補正１】
【補正対象書類名】特許請求の範囲
【補正対象項目名】全文
【補正方法】変更
【補正の内容】
【特許請求の範囲】
【請求項１】
コタツ布団に首より上部を出せる穴を開けるとともに、袖をつけ全身をコタツ布団で覆ったまま、両手をこたつ布団より出して自由に使えるようにしたコタツ布団。
【手続補正２】
【補正対象書類名】明細書
【補正対象項目名】全文
【補正方法】変更
【補正の内容】
【発明の詳細な説明】
【技術分野】
【０００１】本発明は、コタツにおいて、全身を暖めるために、コタツ布団に首より上の部分を出せるように伸縮性のある穴をあけ、両手を出せるように袖をつけて全身をコタツ布団で覆いコタツに座ったまま全身を暖められるようにしたものである。
【背景技術】
【０００２】従来は、コタツに座ったまま両手を出し、全身を覆い暖められるコタツ布団はなかった。
【発明の概要】
【発明が解決しようとする課題】
【０００３】  従来は、コタツに座ったまま両手を出し、全身を暖めるためには、ストーブや、エアコンを併用するしかなかったが、本発明はこの課題を解消する為のものである。
【課題を解決するための手段】
【０００４】コタツ布団に首より上の部分を出せるように伸縮性のある穴をあけ、両手を出せるように袖をつけて全身をコタツ布団で覆いコタツに座ったまま全身を暖められるようにしたものである。
【発明の効果】
【０００５】コタツに座ったまま全身を暖めるためには、他の暖房器具を併用するしかなかったが、コタツ布団に首より上の部分を出せるように伸縮性のある穴をあけ、両手を出せるように袖をつけて全身をコタツ布団で覆いコタツに座ったまま全身を暖められるようにしたものである。
【図面の簡単な説明】
【０００６】
【図１】本発明の上から見た面図である
【図２】伸縮性のある穴及び、両手を出せる袖部分である。
【発明を実施するための形態】
【０００７】（イ）コタツ布団に首より上の部分を出せるように伸縮性のある穴をあけ、両手を出せるように袖をつけて全身をコタツ布団で覆えるようにする以外は、通常のコタツ布団としてしようする。
（ロ）首より上の部分だし口
（ハ）両手だし口
【符号の説明】    １  コタツ布団本体
２  伸縮性のある穴
３  両手を出せる袖
【手続補正４】
【補正対象書類名】図面
【補正対象項目名】全図
【補正方法】変更
【補正の内容】
【図１】
2014171840.tif 000005
【図２】
2014171840.tif 000006
(57)【要約】【課題】  本発明は、マスクを吸水性や肌触りがよいタオル生地にし、タオルの色柄、ふちどり、キャラクターなどにデザイン性を持たせ、マスク用ゴムひもも、タオルマスクに合わせた色柄などに対応させ、ファッション性があり、洗濯後にアイロンをかけなくても繰り返し使用でき、保湿保温に適し、なおかつアイマスクとしても使用できるように工夫した、保湿保温おしゃれなタオルマスクを提供する。【解決手段】  マスクの本体（１）に適した所要の大きさのタオルの裏、半分の両対角に、所要のマスク用のひも（２ａ）、ひも（２ｂ）、を中心に向けて設け、マスクの本体（１）の中央に折り部（３）を設け、マスクの本体（１）の両側に止め具（４ａ）、止め具（４ｂ）を設けたことを特徴とするタオルマスク。【選択図】図１
2014171842.tif 000002
【特許請求の範囲】
【請求項１】
マスクの本体（１）に適した所要の大きさのタオルの裏、半分の両対角に、所要のマスク用のひも（２ａ）、ひも（２ｂ）、を中心に向けて設け、マスクの本体（１）の中央に折り部（３）を設け、マスクの本体（１）の両側に止め具（４ａ）、止め具（４ｂ）を設けたことを特徴とするタオルマスク。
【発明の詳細な説明】
【技術分野】
【０００１】  本発明は、マスクを吸水性や肌触りがよいタオル生地にし、タオルの色柄、ふちどり、キャラクターなどにデザイン性を持たせ、マスク用ゴムひもも、タオルマスクに合わせた色柄などに対応させ、ファッション性があり、洗濯後にアイロンをかけなくても繰り返し使用でき、保湿保温に適し、なおかつアイマスクとしても使用できるように工夫した、保湿保温おしゃれなタオルマスクに関するものである。
【背景技術】
【０００２】  従来、インフルエンザや花粉症などで広くマスクの需要が高まっているが、現在、使用されているマスクは、医療用のものがほとんどだった。
オフィスの暖房やエアコンで肌や喉が乾燥するが、そのような対策でのマスクはあまり見かけないため、保湿や保温の目的でも、白色の不織布を用いたマスクや、ガーゼを重ねたマスクを使用している人が多い。
不織布マスクは使い捨てで、ガーゼマスクは洗濯をして繰り返し使用できるが、一度使用するとゴムを通した左右の両端にシワが寄り、洗濯すると丸くなり、丸くよれた白いガーゼマスクを掛けている人を良く見かける。
洗濯後、シワを伸ばすためにアイロンをかけなければならず、アイロンがけが面倒なため、結局使い捨てにする人も多い。
肌触りや、色柄などのデザイン性を重視したものはあまりなく、ゴムひもを収納できるものなどはなかった。
【先行技術文献】
【特許文献】
【０００３】
【特許文献３】  特許公開２００６−２６３０８３号
【発明の概要】
【発明が解決しようとする課題】
【０００４】  従来のマスクは、医療用のものがほとんどで、白色で不織布を用いたものや、ガーゼを重ねたものなどが多かった。
不織布マスクは使い捨てで、ガーゼマスクは洗濯をして繰り返し使用できるが、一度使用するとゴムを通した左右の両端にシワが寄り、洗濯すると丸くなり、丸くよれた白いガーゼマスクを掛けている人をよく見かける。
洗濯後、シワを伸ばすためにアイロンをかけなければならず、アイロンがけが面倒なため、結局使い捨てにする人も多い。
肌や喉の、保湿や保温対策のような目的のマスクはあまりないため、医療用の白色で不織布を用いたものや、ガーゼを重ねたものなどを使用していた。
肌触りや、色柄などのデザイン性を重視したものはあまりなく、ゴムひもを収納できるものなどはなかった。
本発明は、以上の問題点を解決するためになされたものである。
【課題を解決するための手段】
【０００５】  マスクの本体（１）に適した所要の大きさのタオルの裏、半分の両対角に、所要のマスク用のひも（２ａ）、ひも（２ｂ）、を中心に向けて設け、マスクの本体（１）の中央に折り部（３）を設け、マスクの本体（１）の両側に止め具（４ａ）、止め具（４ｂ）を設けたことを特徴とするタオルマスク。
【発明の効果】
【０００６】  本発明の、タオルマスクは、吸水性と肌触りが良いタオル生地を使用している。
吸水性と肌触りが良いので、暖房やエアコンが効きすぎたオフィスなどで、肌や喉の乾燥を防ぐのにも良い。
洗濯後、広げて干せば乾きも早く、アイロンがけをしなくても使用でき、使い捨てでなく何度も使用できる。
タオルの色柄、ふちどり、キャラクターなどにデザイン性を持たせ、マスク用ゴムひもも、タオルマスクに合わせた色柄などに対応させ、それぞれの個性のデザインのマスクを選ぶことができ、キャラクターものなどにも対応できるので、子供にも喜ばれる。
マスクとして使用できるだけでなく、アイマスクとして使用でき、広げて顔全体を隠すこともできる。
ゴムひもは内側に向けて取り付けているので、使用後、タオルマスクのゴムひもの部分を左右に広げるとタオルマスクの内側に簡単に収納できる。
ゴムひもが飛び出さないので、不要時は折りたたんで、ポケットやバックに携帯できる。
緊急時にマスクが必要なときや、アイマスクが必要なときなど、いつでも対応できる。
マスクとして使わなくなったら、ゴムひもを切り取り、タオルハンカチとして使用できるので、使い捨てにならず極めて有益となる。
【図面の簡単な説明】
【０００７】
【図１】  本発明の裏側に、マスクのひもを内側に向けて設けた平面図である。
【図２】  本発明を表に返し、ゴムひもを取り出した平面図である。
【発明を実施するための形態】
【０００８】  以下、本発明の実施をするための形態をについて説明する。
マスクの本体（１）を、吸水性と肌触りの良いタオル生地にする。
マスクの本体（１）に適した所要の大きさのタオルの裏、半分の両対角に、所要のマスク用のひも（２ａ）、ひも（２ｂ）を中心に向けて設ける。
マスクの本体（１）のタオルを表に返し、マスク用ゴムひも（２）をマスクの本体（１）のタオル内側に収容し、折り部（３）のところで半分に折る。
マスクの本体（１）の下端中心を止める。
マスクの本体（１）の両側に止め具（４ａ）、止め具（４ｂ）は、スナップボタン、ボタン、縫い止める等いろいろあるが、止め具（３）はどの方法でも良い。
マスクの本体（１）の周囲は、バイヤステープでパイピングする。
マスクの本体（１）の素材のタオルの色柄、ふちどり、キャラクターなどにデザイン性を持たせる。
マスク用ゴムひもも、タオルマスクに合わせた色柄などに対応させる。
アイマスクとして使用でき、広げて顔全体を隠すこともできる。
マスクとして使わなくなったら、ゴムひもを切り取り、タオルハンカチとして使用できる。
以上の構成よりなるタオルマスク。
【符号の説明】
【０００９】  １  マスク本体
２ａ、２ｂ  ひも
３  折り部
４ａ、４ｂ  止め具
【図１】
2014171842.tif 000003
【図２】
2014171842.tif 000004
(57)【要約】      （修正有）【課題】ロールトイレットペーパを使う時に、ペーパの先端を容易につかむことができるロールトイレットペーパの隙間作り器を提供する。【解決手段】壁と既存のロールトイレットペーパ器具の間に高さ調整が出来る切り込みをいれたステンレス板１を固定し、固定したステンレス板１に腹板を取り付け、取り付けた腹板に、人さし指がはいる切り込みをいれたプラスチック板２かステンレス板２を取り付ける。【選択図】図１
2014171843.tif 000002
【特許請求の範囲】
【請求項１】
壁と既存の器具の間に高さ調整が出来る切り込みをいれたステンレス板を固定して固定して、固定したステンレス板に腹板取り付け、取り付けた腹板に、人さし指がはいる切り込みをいれた、プラスチック板か、ステンレス板を、取り付ける。
【発明の詳細な説明】
【技術分野】
【０００１】  本発明は、ロールトイレットペーパの隙間作り器に関する。
【背景技術】
【０００２】  従来のロールトイレットペーパ取り付け器は、上蓋にペーパ切り金具が付いているだけである。
【発明の概要】
【発明が解決しようとする課題】
【０００３】  ロールトイレットペーパを使う時に、ペーパの先端が残りの巻き取り部分付いて、いて先端をつかみにくい。
【課題を解決するための手段】
【０００４】  既存のペーパ器具が付いている壁に高さ調整の出来る切り込みを入れた、ステンレス板の板を、既存のロールトイレットペーパ器具との間に挟み、既存のネジ穴、を、利用して、固定する、固定したステンレス板に腹板を取り付け、取り付けた腹板に人さし指が、入るように切り込んだ、ステンレス板か、プラスチック板を、取り付けるものである。
【発明の効果】
【０００５】  先端をつかむつかむのに、何回も回転させていた手間が、省ける。
【図面の簡単な説明】
【０００６】
【図１】ロールトイレットペーパ隙間器を、正面から見た説明図である。
【図２】ロールトイレットペーパ隙間器を、平面から見た説明図である。
【図３】ロールトイレットペーパ隙間器を、側面から見た説明図である。
【符号の説明】
【０００７】１壁と既存の器具を固定する、ステンレス板。
２人さし指を入れる、ステンレス板か、プラスチック板。
３腹板。
【図１】
2014171843.tif 000003
【図２】
2014171843.tif 000004
【図３】
2014171843.tif 000005
【手続補正書】
【提出日】平成25年4月8日(2013.4.8)
【手続補正１】
【補正対象書類名】明細書
【補正対象項目名】０００４
【補正方法】変更
【補正の内容】
【０００４】      既存のペーパ器具が付いている壁に高さ調整の出来る切り込みを入れた、ステンレス板を、既存のロールトイレットペーパ器具との間に挟み、既存のネジ穴を利用して、固定する。固定したステンレス板に腹板を取り付け、取り付けた腹板に人さし指が入るように切り込んだステンレス板かプラスチック板を取り付けるもので、固定する前に既存の上蓋が上になるように差し込み、ロールペーパと腹板との間に人差し指が入る隙間を作り、既存のネジ穴を利用して固定する。固定した腹板と既存の上蓋との間にロールペーパを通すものである。
(57)【要約】【課題】急な雨の時に、いかに迅速に洗濯物を痛めることなく、取り外すことができるかが課題である。【解決手段】従来の洗濯バサミのパーツ３個のところに、挟持部を別パーツとして取り付け、その挟持部に円柱状の突起部を設置して、洗濯物を保護し、さらにその挟持部と本体を結合する回転軸の回転を促すことにより、洗濯物を下方へ引っ張れば、自動的に挟持部が解放する構造を持つ洗濯バサミを供給する。【選択図】図１
2014171848.tif 000002
【特許請求の範囲】
【請求項１】
洗濯物を下方に引くことにより、回転軸と一体化された挟持部が解放される構造を持つ洗濯バサミ。
【請求項２】
形成される挟持部に円柱形の突起を施し、洗濯物の保護を促す機能を持つ洗濯バサミ。
【請求項３】
挟持部に洗濯物を保護し、同時に洗濯物が滑り落ちにくいようにするため円柱形の突起を交互に配列し設置されている洗濯バサミ。
【発明の詳細な説明】
【技術分野】
【０００１】本発明は、洗濯物の物干し具に関する。
【背景技術】
【０００２】従来の洗濯バサミは洗濯物を取り外す時に、ツマミの先端を加圧して一個ずつ洗濯物を取り外す使用方法である。【０００３】通常の形状の洗濯物挟持部の形状では、洗濯物を引っ張ってしまった場合に、布が破れてしまうことはある。
【発明の概要】
【発明が解決しようとする課題】
【０００４】急な雨の時には、いかに早く洗濯物を取り外すことができるかが課題となっている。【０００５】洗濯物を早く取り込むために、引っ張って取り込む際に、いかに洗濯物を保護できるかということも課題である。【０００６】さらに、引っ張って洗濯物を外す時に、どのような方法で加圧するかも問題である。各個か、数個まとめてか。
【課題を解決するための手段】
【０００７】洗濯バサミの挟持部がツマミ上部に力を加えなくても解放を可能にして、急な雨の時に一秒でも早く、洗濯を取り込めるようにする。【０００８】そのためには、洗濯バサミの挟持部を本体とは別部品として、その上部に本体と一体化されるよう回転する軸を設ける。【０００９】急な雨の時に洗濯物を引っ張ってしまうと、破れたりする危険性があるが、挟持部に円柱状の突起をつけることにより、洗濯物がこすれることを防ぐ。【００１０】洗濯物を下方に引っ張ることにより、挟持部にある突起物との軽い摩擦抵抗により、挟持部が解放される構造にする。
【図面の簡単な説明】
【００１１】
【図１】  洗濯バサミ本体正面分解図
【図２】  洗濯バサミ本体側面分解図
【図３】  洗濯バサミ使用時正面図
【図４】  洗濯バサミ使用時側面図
【図５】  洗濯バサミ本体側面図（閉鎖時）
【図６】  洗濯バサミ本体側面図（解放時）
【図７】  洗濯バサミ挟持部解放状態の図
【図８】  洗濯物解放開始時（側面図）
【図９】  洗濯物解放作動時（側面図）
【図１０】  洗濯物解放終了時（側面図）
【図１１】  洗濯物解放終了時（斜視図）
【符号の説明】
【００１２】１．      洗濯バサミツマミ部
２．      洗濯バサミ用バネ
３．      洗濯バサミ挟持部
４．      洗濯バサミ挟持部結合軸
５．      洗濯バサミ挟持部突起
６．      洗濯バサミ本体
７．      洗濯物
【発明を実施するための形態】
【実施例】
【００１３】図１に示されるように、洗濯バサミ本体６のパーツを従来の３個から５個で構成される。【００１４】図１と図２に示されるように、洗濯バサミ本体６を構成する５個のパーツは、洗濯バサミツマミ部１が一対、洗濯バサミ用バネ２、そして一対の洗濯バサミ挟持部３からなる。【００１５】図６で示されるように、洗濯バサミ挟持部３は洗濯バサミ挟持部結合軸４により、洗濯バサミツマミ部１と一体化される。【００１６】図１０のように、洗濯バサミ挟持部３は解放時には、洗濯バサミ挟持部結合軸４が回転して表示のような形を構成して、洗濯物７を解放する。【００１７】図８では洗濯物７が弱い力で下方に引っ張られたときに、洗濯バサミ挟持部３の下方先端がわずかに開き始めている状況が確認される。【００１８】図９では洗濯物７がさらに下方へ引っ張られてきているため、洗濯バサミ挟持部３の下方先端の解放角度が大きくなっているのが確認できる。【００１９】図１０のように、最終的に洗濯バサミ挟持部３は脱力して、完全開放により洗濯バサミツマミ部１の上端に加圧することなく、洗濯物７自体を下方に引っ張ることで、洗濯物を解放することができる。
【図１】
2014171848.tif 000003
【図２】
2014171848.tif 000004
【図３】
2014171848.tif 000005
【図４】
2014171848.tif 000006
【図５】
2014171848.tif 000007
【図６】
2014171848.tif 000008
【図７】
2014171848.tif 000009
【図８】
2014171848.tif 000010
【図９】
2014171848.tif 000011
【図１０】
2014171848.tif 000012
【図１１】
2014171848.tif 000013
(57)【要約】      （修正有）【課題】歩行を安定させ転倒を防ぐための従来の安全靴は、効果が限られ、構造が複雑でコストも高い。【解決手段】人間の足指のなかで挟む、押さえる、伸ばすなどの運動機能を残している親指と人差し指に注目しそれぞれの運動能力と履物の新規な構造と組み合わせることで転倒を防止し、また歩行を安定させる履物を案出した履物内部に紐状、また壁状の構造物を配置し親指と人差し指の動きで歩行を安定させ転倒を防ぐ安全靴を提供する。【選択図】図１
2014171845.tif 000002
【特許請求の範囲】
【請求項１】
親指と人差し指の間に存在し双方の指で挟んで使用できる紐状または棒状支柱を保有する履物。
【請求項２】
親指と人差し指の間に存在し双方を隔離しながらも、なおかつ、それぞれのうごきをスムーズに行える壁状、またはトンネル状の構造を有する履物。
【発明の詳細な説明】
【技術分野】
【０００１】本発明は靴、スリッパなど履物に関するものである。
【背景技術】
【０００２】  人の歩行の基本は振り子運動と呼ばれ左右の足を交互に蹴りだす動作である。この動作を妨げる障害物につまづけば足腰の筋肉の弱い人は殆んどの場合転倒する。これを防ぐためつま先部分やかかと部分を高くして着地や蹴りだしをスムーズに行うという工夫の製品もあるが効果は限られている。その例として特開平１１−２２１１０３がある。また足首に弾力性の素材を使用し動きを補助する特開２００６−１４１７４７があるが構造は複雑でコストも高い。【０００３】よって新規な構造の履物を案出してコストのかからない履物を提供する。
【解決手段】
本案は人間の足指のなかで挟む、押さえる、伸ばすなどの運動機能を残している親指と人差し指に注目しそれぞれの運動能力と履物の新規な構造と組み合わせることで転倒を防止し、また歩行を安定させる履物を案出した。そのためには履物自体に親指と人差し指にそれぞれの動きと力をスムーズに伝えられる形状の構造物を履物内に形成しなければならない。その形状は（１）履物の上部と底部につながる紐状、もしくは棒状のもの、もう一種（２）は履物内部に作られた親指と人差し指の間に設ける隔壁である。この構造の効果で親指と人差し指は、ある時は独自に、ある時は協力して動くことが可能となる。このことは歩行時の障害物を回避する能力と体を安定させる能力の保持に寄与する。
【図面の簡単な説明】
【図１】は履物の側面図である。
【図２】は履物の正面図である。
【図３】は履物の側面図である。
【図４】は履物の正面図である。
【符号の説明】［図面１］のａは履物のカバー
ｂは履物内部の紐状、または棒状支柱
［図面２］のａは履物のカバー
ｂは履物内部の紐状、または棒状支柱
［図面３］のｃは履物のカバー
ｄは隔壁
［図面４］のｃは履物カバー
ｄは隔壁
【図１】
2014171845.tif 000003
【図２】
2014171845.tif 000004
【図３】
2014171845.tif 000005
【図４】
2014171845.tif 000006
(57)【要約】【課題】  ヒール靴は、外出先で脚が痛くなったとき、運転する時、走る時などヒールを取り外せないという問題点があった。また、分離可能な靴等は、そのような加工を施された靴のみの効能のため、市販されている既存のフラットシューズに組み合わせることができないので、不満足である。  本発明は、既存のフラットシューズ等に取り付けることによって、ヒール靴になる着脱式ヒールを提供する。【解決手段】  足首ストラップ、踵部ストラップ、ヒール部、踵包囲部が一体化した靴の踵を包み込むような形状のヒールにおいて、既存のフラットシューズの靴底に合わせて組み合わせた後、足首ストラップと靴本体の間に足を通し履くことによって、足首ストラップと踵部ストラップが足を固定させ、フラットシューズの靴本体をヒール靴にできるヒールである。  以上の構成よりなる既存の靴等に着脱できるヒール。【選択図】図１
2014171844.tif 000002
【特許請求の範囲】
【請求項１】
足首ストラップ、踵部ストラップ、ヒール部、踵包囲部が一体化した靴の踵を包み込むような形状のヒールにおいて、既存のフラットシューズの靴底に合わせて組み合わせた後、足首ストラップと靴本体の間に足を通し履くことによって、足首ストラップと踵部ストラップが足を固定させ、フラットシューズの靴本体をヒール靴にできることを特徴とする既存の靴等に着脱できるヒール。
【発明の詳細な説明】
【技術分野】
【０００１】  本発明は、既存のフラットシューズ等に取り付けることによって、ヒール靴になる着脱式ヒールである。
【背景技術】
【０００２】  従来、中敷等とヒール部分が一体化した分離可能な靴等が知られている（特許文献１、２参照）。
【先行技術文献】
【０００３】
【特許文献１】  特開２００９−５１２４７１号公報
【特許文献２】  特開２０１１−１１５４００号公報
【発明の概要】
【発明が解決しようとする課題】
【０００４】  ヒール靴は、外出先で脚が痛くなったとき、運転する時、走る時などヒールを取り外せないという問題点があった。また、分離可能な靴等は、そのような加工を施された靴のみの効能のため、市販されている既存のフラットシューズに組み合わせることができないので、不満足である。
本発明は、以上の問題点を解決するためになされたものである。
【課題を解決するための手段】
【０００５】  足首ストラップ、踵部ストラップ、ヒール部、踵包囲部が一体化した靴の踵を包み込むような形状のヒールにおいて、既存のフラットシューズの靴底に合わせて組み合わせた後、足首ストラップと靴本体の間に足を通し履くことによって、足首ストラップと踵部ストラップが足を固定させ、フラットシューズの靴本体をヒール靴にできるヒールである。
以上の構成よりなる既存の靴等に着脱できるヒールである。
【発明の効果】
【０００６】  従来取り外すことができなかったヒール靴を、本発明により既存のフラットシューズと一体化もしくは、単体でも靴下等の上から履く機能を持たせることで、ＴＰＯに合わせた使用や１つのフラットシューズで好みの色のヒールを取り替えることができると共に、室内で履くことによって足の筋力の強化や美容のためとしても使用できる。
本発明は、当然にもヒールを外せば通常のフラットシューズとして使用するのに、何の支障も生じない。
【図面の簡単な説明】
【０００７】
【図１】  本発明の斜視図
【図２】  本発明の平面図、正面図、側面図、断面図
【発明を実施するための形態】
【０００８】  以下、本発明の実施の形態を説明する。
足首ストラップ（１）、踵部ストラップ（２）、ヒール部（３）、踵包囲部（４）が一体化した靴の踵を包み込むような形状のヒールにおいて、既存のフラットシューズの靴底（５）に合わせて組み合わせた後、足首ストラップ（１）と靴本体（６）の間に足を通し履くことによって、足首ストラップ（１）と踵部ストラップ（２）が足を固定させ、フラットシューズの靴本体（６）をヒール靴にできるヒールである。
ヒール部（３）の靴底（５）と接する部分が傾斜しているため、ヒールをつけることによる生じる、フラットシューズ靴本体（６）の踵のみ高くなる傾斜に沿うようになっている。また、ゴム、シリコン等の素材でできているため靴本体（６）とヒールと足が密着すると同時に、足首ストラップ（１）と足首ストラップ（１）、ヒール部（３）の３点を軸とし支え安定した歩行ができる。
【符号の説明】
【０００９】１  足首ストラップ、    ２  踵部ストラップ、    ３  ヒール部、    ４  踵包囲部、５  靴底、    ６  靴本体
【図１】
2014171844.tif 000003
【図２】
2014171844.tif 000004
(57)【要約】【課題】特に、時間的制約のあるビジネスマンやビジネスウーマンなどは、健康のことを意識して暗がりの中でもジョギングやウォーキングをする人が沢山いるが、暗がりの中では運動している人が実際にかなり近くに来ないと認識できない場合があり、運動をしている人達の運動の妨げになる。  暗がりでのジョギングをする人やウォーキングをする人を遠くから認識できず、近くに来た時にぶつかってしまうケースが発生する。【解決手段】スポーツシューズの前部甲被と後部甲被に当たる部分にＬＥＤを搭載し、靴底に埋め込まれた圧電素子チップが発生する電気を利用してＬＥＤを点灯させることにより、暗がりの中でジョギングやウォーキングしている人の存在を認識することができ、快適な運動をすることを可能とする。【選択図】図１
2014171779.tif 000002
【特許請求の範囲】
【請求項１】
スポーツシューズの前部甲被と後部甲被に当たる部分にＬＥＤを搭載している。
【請求項２】
スポーツシューズの底部に運動変化(力の加わり方)により電気を発生させる圧電素子チップが埋め込まれている。
【請求項３】
請求項１と請求項２がリード線で接続されることにより、発生した電気をＬＥＤの点灯に変える。
【発明の詳細な説明】
【技術分野】
【０００１】
本発明は、スポーツシューズの前部甲被と後部甲被に当たる部分にＬＥＤを搭載したもので、スポーツシューズ底部に埋め込まれた圧電素子チップが人の動作(重み)により発生する電気を利用してＬＥＤランプを点灯させる構造になっており、電池を使用せずに半永久的にＬＥＤを点灯させるものである。
【０００２】
本発明は、暗がりの中(早朝、夕方、夜間)でのジョギングやウォーキング時に運動している人の存在が認識できるようにしたものである。
【背景技術】
【０００３】
時間的制約がある特にビジネスマンやビジネスウーマンなどは、健康の事を意識して暗がりの中でもジョギングやウォーキングをする人が沢山いるが、暗がりの中では運動している人が実際にかなり近くに来ないと認識できない場合があり、運動をしている人達の運動の妨げになる。  暗がりでのジョギングをする人やウォーキングをする人を遠くから認識できず、近くに来た時にぶつかってしまうケースが発生する。
【０００４】
このような問題を克服した発明の提案は今までにないが、別の観点からは特許文献１に記載の発明はある。
特表平０８−５０１９５８号公報(特許文献１)には、高度な電子フィードバックシステム(装置)が内臓されていてセンサー装置が運動の快適レベルを検知して空気圧の調整をする提案がされている。
【先行技術文献】
【特許文献】
【０００５】
【特許文献１】特表平０８−５０１９５８号公報
【発明の概要】
【発明が解決しようとする課題】
【０００６】
これは次のようなことがあった。
１  暗がりの中を運動している人の存在を認識できない。
２  運動している人が直前に来るまで認識できず、ぶつかる可能性がある。
３  照明装置を点灯させる為には、電池が必要であり電池を交換する煩わしさがある。
【課題を解決するための手段】
【０００７】
スポーツシューズの前部甲被(図１の１)と後部甲被(図１の２)に当たる部分にＬＥＤを搭載し、靴底に埋め込まれた圧電素子チップ(図３の３)が人の体重移動によって発生される電気を利用してＬＥＤを点灯させる構造になっているものである。
【０００８】
ＬＥＤを点灯させる圧電素子チップは、簡単な構造(図５)であり、電池を使用することなく、半永久的にＬＥＤを点灯させるものである。
【図面の簡単な説明】
【０００９】
【図１】図１は、スポーツシューズを横から見た図である。
【図２】図２は、スポーツシューズを上から見た図である。
【図３】図３は、スポーツシューズを下から見た図である。
【図４】図４は、実施例である。
【図５】図５は、圧電素子チップ＋ＬＥＤ回路図である。
【発明を実施するための形態】
【００１０】
一般に販売されているスポーツシューズに対して、靴底を製造する工程に『圧電素子チップ＋ＬＥＤ』を埋め込む工程を追加することにより目的とする機能を実現する。
【実施例】
【００１１】
実施例について図面を用いて説明する。
スポーツシューズの底部に埋め込まれた圧電素子チップ＋ＬＥＤ(図５)が人の動きにより力が加わることによって(図４)、圧電素子でつくり出された電気がＬＥＤに送られてＬＥＤを点灯させる。
【符号の説明】
【００１２】
１  前部甲被のＬＥＤ
２  後部甲被のＬＥＤ
３  圧電素子
【図１】
2014171779.tif 000003
【図２】
2014171779.tif 000004
【図３】
2014171779.tif 000005
【図４】
2014171779.tif 000006
【図５】
2014171779.tif 000007
(57)【要約】【課題】従来のゴルフ練習器具には、アイアン形状ゴルフクラブでの練習からウッド形状ゴルフクラブでの練習に移行する場合、そのつどアーム付練習ボールを回転軸に取り付け変更する不便がある。また、ゴルフ練習器具の固定を打撃振動、衝撃に対して練習器具が移動しないように、設置場所の選定、固定器具の強度、大きさ等の要因から設置条件の限定範囲が狭くなる問題があった。【解決手段】アーム付ゴルフ練習ボールを回転軸位置にて複数、連結する形状の構成を備えた練習器具であり、アーム付ゴルフ練習ボールを回転軸の中心に異なる位置で連結する。回転軸を中心にバランスのとれた配置であれば、２つ以上のボールを連結することもでき、異なる形状のゴルフクラブでの練習を継続してできる。アーム付練習ボールが回転軸を中心に複数連結する構成となっていることで打撃練習時の器具に働く振動衝撃を緩和し、使用時の練習器具の移動、ズレを抑制できる。 【選択図】図１
2014171705.tif 000002
【特許請求の範囲】
【請求項１】
アーム付ゴルフ練習ボールを回転軸位置にて複数、連結する形状の構成を備えたことを特徴とするゴルフ練習器具。
【請求項２】
アーム付ゴルフ練習ボールを回転軸の中心に異なる位置で連結することを特徴とする請求項１に記載のゴルフ練習器具。
【請求項３】
底板の設置面に滑り防止シート、又は滑り止め加工を装備することを特徴とする請求項１または請求項２に記載のゴルフ練習器具。
【発明の詳細な説明】
【技術分野】
【０００１】
本発明はゴルフスイングの練習のために使用される練習器具に関する。
【背景技術】
【０００２】
ゴルフ練習器具は、一般にゴルフスイングの練習のために使用される。図3に、従来のゴルフ練習器具の図を示す。図の練習器具は、アーム付練習ボール1とゴルフクラブの打撃を受止めるマット２並びにアーム付練習ボールの回転軸3及びそれらを取り付ける底板４から構成される。また、この図にはウッド形状ゴルフクラブ5とアイアン形状ゴルフクラブ６が示されている。以上のゴルフ練習器具は次のようにして使用する。アーム付練習ボール、マット、回転軸及び、それらを一体とする底板で構成されたゴルフ練習器具を設置場所にその打撃振動、衝撃に対応できる固定用具にて設置する。アイアン形状ゴルフクラブで練習する場合はアーム付練習ボールをマット表面位置にそのボールが置かれるように回転軸に取り付け、練習を行う。その後、ウッド形状ゴルフクラブで練習を行う場合はアーム付練習ボールを一旦、取り外し回転軸にそのボール高さがマットからやや浮いた位置にくるように再度、取り付けを変更し、練習を行います。逆の順番で、それぞれの打撃練習をする場合も同様です。
【先行技術文献】
【特許文献】
【０００３】
【特許文献１】特開２０１１−２２９８７９号公報
【発明の概要】
【発明が解決しようとする課題】
【０００４】
以上のような従来のゴルフ練習器具には、次のような解決すべき課題があった。
（１）アイアン形状ゴルフクラブでの練習からウッド形状ゴルフクラブでの練習に移行する場合、又は逆順で練習に使用する場合、そのつどアーム付練習ボールを回転軸に取り付け変更する不便がある。
（２）ゴルフ練習器具の固定を打撃振動、衝撃に対して練習器具が移動しないように、設置場所の選定、固定器具の強度、大きさ、それらの要因から設置条件の適応性の限定範囲が狭くなる。
（３）ゴルフ練習器具が2の条件にて据付されるため、移動、取り外しが不便で、常設とした場合、設置場所をゴルフ練習に占有する場合が多くなる。
【課題を解決するための手段】
【０００５】
本発明は以上の点を解決するために、次のような構成を採用する。
第１の発明は、アーム付ゴルフ練習ボールを回転軸位置にて複数、連結する形状の構成を備えたことを特徴とするゴルフ練習器具である。
第２の発明は、第１の発明において、アーム付ゴルフ練習ボールを回転軸の中心に異なる位置で連結することを特徴とするゴルフ練習器具である。
第３の発明は、第１の発明または第１の発明において、底板の設置面に滑り防止シート、又は滑り止め加工を装備することを特徴とするゴルフ練習器具である。
【発明の効果】
【０００６】
本発明のゴルフ練習器具には次のような効果がある。
< 具体例 >
（１）アーム付練習ボールが回転軸を中心に対向する位置に連結することでアイアン形状ゴルフクラブ、ウッド形状ゴルフクラブでの異なるボール位置での練習を継続して使用できる。
（２）アーム付練習ボールが回転軸を中心に複数連結する構成となっていることで打撃練習時の器具に働く振動衝撃、回転応力を回転軸中心に均衡分散でき、使用時の練習器具の移動、ズレを抑制できる。
（３）前記（２）の効果により従来のゴルフ練習器具より軽微な固定方法となる、又は不要となることから、練習場所での練習器具の設置、片付けが容易となり練習場所を占有する要因を軽減できる。
【発明を実施するための最良の形態】
【０００７】
以下、本発明を図の具体例を用いて詳細に説明する。
【実施例１】
【０００８】
以下の説明で、実施例1. は構成 1. 構成 2. 及び構成 3. に対応する。図 1に、本発明のゴルフ練習器具のアーム付練習ボール接続部図を示す。図のゴルフ練習器具はアーム付練習ボール 1と、打撃を受け止めるマット 2  回転軸 3  及び底板 4とから構成される。また図にはその他に、ウッド形状ゴルフクラブ 5.とアイアン形状クラブ 6 滑り止めシート 7  補助重し 8及び補助止め金 9とが示されている。アーム付練習ボール 1 は図 3 を用いて説明した従来通りの構造のものである。回転軸のアーム付練習ボール接続金物は金属継ぎ手を切削加工し、アーム付練習ボールを回転軸の中心に対向方向に連結している。
【０００９】
以上のゴルフ練習器具は次のようにして使用する。ゴルフ練習器具を設置面の平らな場所に設置する。接地面の条件により補助重し８もしくは屋外などでは補助止め金９を使用して固定する場合もある。アイアン形状ゴルフクラブでの練習時はマット表面付近の           高さに設定された練習ボールをマット中央付近に置き、又はウッド形状ゴルフクラブでの練習の場合はその反対側のボールを置いて練習を行う。こうした構造にすることでアーム付練習ボールが異なる高さに取り付けられていることから使用するクラブを不便なく好みのゴルフクラブ形状に切り替えながら練習を継続できる。この高さだけでなく回転軸を中心にバランスのとれた配置であれば2つ以上のボールを連結することもできる。連結は金物だけでなく、抽出、成型などで連結構造を形成することもよい。連結箇所に間隔をとるワッシャーなどで微妙な高さ調整にも容易に対応できる。
【図面の簡単な説明】
【００１０】
【図１】この発明のゴルフ練習器具の接続部具体例図
【図２】この発明のゴルフ練習器具の平面、側面、詳細具体例図
【図３】従来のゴルフ練習器具の平面、側面  詳細具体例図
【符号の説明】
【００１１】
１    アーム付練習ボール
2    マット
３    回転軸
４    底板
５    ウッド形状ゴルフクラブ
６    アイアン形状ゴルフクラブ
７    滑り止めシート
８    補助重し
９    補助止め金
【図１】
2014171705.tif 000003
【図２】
2014171705.tif 000004
【図３】
2014171705.tif 000005